(57)【要約】【課題】自分撮りモードのような場合のように被写体と撮影レンズの距離が余り離れていない近距離撮影時でも、視線がずれていない写真を容易に撮ることができるようにすること。【解決手段】自分撮りモードで、シャツターボタン３１３を押して撮影者自身を撮影する直前に、撮影レンズ９の周囲にあるリング状の発光部１０が瞬間的に光るため、撮影者の視線はリング状の発光部１０の方向へ向く、即ち、その中心にある撮影レンズの方向を向いた時に撮影が行われるため、撮られた写真の視線は撮影レンズ９の方向を向いており、視線のずれがなく違和感のない写真を撮ることができる。【選択図】  図１
2004214797.tif 000002
【特許請求の範囲】
【請求項１】
撮像機能を有し、撮影者自身を撮影する自分撮りモード設定可能で、自分撮りモード時に撮影画像をモニターするモニター手段を有する携帯電子機器において、
前記撮像機能を構成する撮影レンズに近接して配設される発光手段と、
前記自分撮りモードで撮影する時に、シャツターボタンの押下が開始されたことを検出する検出手段と、
前記検出手段によりシャツターボタンの押下が開始されたことが検出されると、シャツターボタンが完全に押下されて撮影が開始されるまでの間、前記発光手段を発光させる視線誘導制御手段と、
を具備することを特徴とする撮像機能付き携帯電子機器。
【請求項２】
前記発光手段は、被写体の照明に用いる照明手段と兼用であることを特徴とする請求項１記載の撮像機能付き携帯電子機器。
【請求項３】
撮像機能を有し、撮影者自身を撮影する自分撮りモード設定可能で、自分撮りモード時に撮影画像をモニターするモニター手段を有する携帯電子機器にあって前記撮影者自身を撮影する際の撮影者の視線を誘導する視線誘導方法において、
前記自分撮りモード時に撮影者自身を撮影する直前に前記撮像機能を構成する撮影レンズに近接配置された発光手段を発光させることを特徴とする視線誘導方法。
【発明の詳細な説明】
【０００１】
【発明の属する技術分野】
本発明は、撮像機能付き携帯電子機器、すなわちＣＣＤ等の撮像素子を搭載した携帯型電子機器に関する。
【０００２】
【従来の技術】
撮像機能を備えた携帯電子機器としては、デジタルカメラやデジタルビデオカメラが一般的であるが、最近では、ＰＤＡやノート型ＰＣ等の携帯型情報処理装置や、携帯電話機やＰＨＳ等の携帯型通信端末装置にも、レンズと撮像素子とをユニット化した撮像装置（カメラモジュール）が搭載されてきている。このような撮像機能付き携帯電子機器では、撮影者以外の被写体を撮影する場合と、携帯電子機器を持った撮影者自身を撮影する場合（自分撮りモード）がある（特許文献１参照）。
【０００３】
【特許文献１】
特開２０００−１７１８７３号公報（第４−６頁、第１図）
【０００４】
【発明が解決しようとする課題】
この自分撮りを行う場合、撮像装置の撮影レンズと撮影者との距離が近接する。このような撮影状況おいて、撮影者は撮影画像をＬＣＤ等の表示部でモニターするため、撮影時は撮影者の視線が表示部の方向を向いていて、撮影レンズの方向を向いていないことが多い。この状態で、シャッターボタンを押して写真を撮ると、撮影レンズと被写体の間が近距離であるため、視線のずれが如実に分かる違和感のある写真が撮れてしまうという問題があった。
【０００５】
本発明は、上述の如き従来の課題を解決するためになされたもので、その目的は、自分撮りモード時のように被写体と撮影レンズの距離が余り離れていない近距離撮影時でも、視線がずれていない写真を容易に撮ることができる撮像機能付き携帯電子機器及び視線誘導方法を提供することである。
【０００６】
【課題を解決するための手段】
この発明の手段は以下の通りである。
【０００７】
請求項１の発明は、撮像機能を有し、撮影者自身を撮影する自分撮りモード設定可能で、自分撮りモード時に撮影画像をモニターするモニター手段を有する携帯電子機器において、前記撮像機能を構成する撮影レンズに近接して配設される発光手段と、前記自分撮りモードで撮影する時に、シャツターボタンの押下が開始されたことを検出する検出手段と、前記検出手段によりシャツターボタンの押下が開始されたことが検出されると、シャツターボタンが完全に押下されて撮影が開始されるまでの間、前記発光手段を発光させる視線誘導制御手段とを具備することを特徴とする。なお、モニター手段は液晶表示装置等の電気光学的表示装置が望ましいが、ミラーであってもよい。
【０００８】
上記発明によれば、自分撮りモードで撮影する時に、撮影者自信を撮影する直前に撮影レンズに近接して配置されている発光手段が光るため、撮影者の視線は発光手段、即ち、撮影レンズの方向を向くため、視線がずれていない違和感のない写真が撮れる。
【０００９】
請求項２の発明は、前記請求項１において、前記発光手段は、被写体の照明に用いる照明手段と兼用であることを特徴とする。
【００１０】
上記発明によれば、例えば照明用ライトと兼用で、自分撮りモードで撮影する時に、撮影者自信を撮影する直前に撮影レンズに近接して配置されている照明用ライトの輝度を変化させる。
【００１１】
請求項３の発明は、撮像機能を有し、撮影者自身を撮影する自分撮りモード設定可能で、自分撮りモード時に撮影画像をモニターするモニター手段を有する携帯電子機器にあって前記撮影者自身を撮影する際の撮影者の視線を誘導する視線誘導方法において、前記自分撮りモード時に撮影者自身を撮影する直前に前記撮像機能を構成する撮影レンズに近接配置された発光手段を発光させることを特徴とする。
【００１２】
上記発明によれば、自分撮りモードで撮影する時に、撮影者自信を撮影する直前に撮影レンズに近接して配置されている発光手段が光るため、撮影者の視線は発光手段、即ち、撮影レンズの方向を向くため、視線がずれていない違和感のない写真が撮れる。
【００１３】
【発明の実施の形態】
以下、本発明の実施の形態を図面に基づいて説明する。図１は、本発明の一実施の形態に係る携帯電子機器の構成を示した平面図と背面図であり、携帯電子機器として携帯電話機を例にとって説明する。
【００１４】
携帯電話機（携帯電子機器）１００は、二つ折りタイプであり、図１（ａ）は蓋部２を開いた状態の表側を示し、図１（ｂ）は蓋部２を開いた状態の背面側を示している。
【００１５】
図１（ａ）において、携帯電話機１００は、本体部１に蓋部２がヒンジ（不図示）を介して回動可能に結合して構成されている。本体部１の表側にはモード設定キー３１１、撮影モード切換キー３１２、シャッターボタン３１３、ダイヤルキー３１４等を有するキー入力部３が配置され、下部には通話用のマイク４が配置されている。蓋部２には文字や図形及び画像等を表示するメイン表示部（ＬＣＤ）５と、通話音声を出力するスピーカ６が配置されている。
【００１６】
図１（ｂ）において、本体部１の背面には、リンガ用のスピーカの透音孔７とアンテナ８が配置されている。蓋部２の背面の下部には、撮像部を構成する撮影レンズ９が配置され、この撮影レンズ９の周囲にはリング状の発光部１０が配置されている。更にこの撮影レンズ９の上側には文字や図形及び画像を表示するサブ表示部（ＬＣＤ）１１が配置され、その上方の端部には集音用のマイク１２が配置されている。
【００１７】
図２は図１（ｂ）に示したリング状の発光部１０の構成を示した断面図である。リング状の発光部１０は、撮影レンズ９を中心として、この撮影レンズ９の周囲に近接して配置されたリング状の透光部１０１と、この透光部１０１の下部に配置された複数のＬＥＤ１０２とから成っている。尚、撮影レンズ９の真下には光学像を電気信号に変換するＣＣＤユニット２６１が配置されている。また、サブ表示部１１は透明カバー１１１とＬＣＤユニット１１２により構成されている。
【００１８】
図３は上記した携帯電話機１００の制御系を示したブロック図である。制御系は、通信動作、撮影動作等の個別の制御及び装置全体の制御を行うＣＰＵ２１に、このＣＰＵ２１を制御する各種プログラムやデータを格納したＲＯＭ２２と、ＣＰＵ２１が動作する上で必要なデータを保持するＲＡＭ２３と、アンテナ８を介して音声や画像データを送受信する通信部２４と、マイク４、１２により集音された音声を処理して音声データとし、また、受話音声を処理してスピーカ６から出力する音声処理部２５と、被写体を撮影し、得られた画像データを出力する撮像部２６と、モード設定キー３１１、撮影モード切換キー３１２、シャッターボタン３１３等を有するキー入力部３と、メイン表示部５を駆動する表示ドライバ２７と、サブ表示部１１を駆動する表示ドライバ２８と、発光部１０を構成するＬＥＤ１０２を駆動するＬＥＤドライバ２９と、リンガ用スピーカ３０と、撮影画像を格納する画像メモリ３１を接続して構成されている。
【００１９】
次に本実施の形態の動作について図４のフローチャートを参照して説明する。撮影者（携帯電話機１００の携帯者）がキー入力部３のモード設定キー３１１にて携帯電話機を撮影モードにすると、メイン表示部５に通常撮りモードにするか、自分撮りモードにするかを撮影者に選択させる画面が表示されるため、撮影者は撮影モード切換キー３１２を操作していずれかの撮影モードを選択する。
【００２０】
上記選択及び設定を踏まえて、ＣＰＵ２１はステップＳ１で、端末が撮影モードかどうかを判断し、そうでない場合は他のモード処理を行い、撮影モードである場合はステップＳ２に進む。
【００２１】
ＣＰＵ２１はステップＳ２で、自分撮りモードであるかどうかを判断し、自分撮りモードでない場合はステップＳ１０に進んで、通常の撮影処理を行い、自分撮りモードである場合はステップＳ３に進む。ステップＳ３では、撮像部２６で撮像した画像のモニターをメイン表示部５からサブ表示部１１に切り換えてからステップＳ４に進む。
【００２２】
ＣＰＵ２１はステップＳ４で、シャッターボタン３１３が半分押されたかどうかを判断し、半分押されていない場合はステップＳ８に進み、半分押された場合はステップＳ５に進んで、ＬＥＤドライバ２９を制御して発光部１０のＬＥＤ１０２を発光させてステップＳ６に進む。ステップＳ６では、シャッターボタン３１３が押されたかどうかを判断し、押された場合は発光部１０の発光を停止した後、ステップＳ７で撮像部２６から得られる画像データを画像メモリ３１に格納して被写体を撮影してから、ステップＳ８に進む。
【００２３】
ここで、上記実施の形態ではシャッターボタン３１３が半分押されたかどうかで、シャッターボタン３１３の押下の開始を検出したが、これに限ることはなく、シャッターボタン３１３の押下の開始を検出して、発光部１０を発光させる構成であればどのような構成でも良い。
【００２４】
ステップＳ８では、モード変更があったかどうかを判断する。この結果、モード変更がなかった場合はステップＳ４の処理に戻り、モード変更があった場合はステップＳ９に進んで、撮影モードが終了したかどうかを判断し、終了しない場合はステップＳ１に戻り、撮影モードが終了した場合は処理を終了する。
【００２５】
本実施の形態によれば、自分撮りモードで、シャツターボタン３１３を押して撮影者自身を撮影する直前に、撮影レンズ９の周囲にあるリング状の発光部１０が瞬間的に光るため、撮影者の視線はリング状の発光部１０の方向へ向く、即ち、その中心にある撮影レンズの方向を向いた時に、撮影が行われるため、撮られた写真の視線は撮影レンズ９の方向を向いており、視線のずれがなく違和感のない写真を撮ることができる。
【００２６】
尚、上記実施の形態では、自分撮りモードでシャツターボタン３１３を押して撮影する直前にリング状の発光部１０を自動的に発光させることになっているが、自分撮りモードでもリング状の発光部１０を発光させるかどうかを撮影者自身が選択するようにしてもよい。
【００２７】
また、発光部１０はリング状とは限らず、撮影レンズ９に近接して配置されるものであれば各種形態が考えられる。更に、上記実施の形態では、自分撮りモードの際の撮像画像のモニターをサブ表示部１１としたが、自分撮りモードの際のモニターをミラー等で構成するものであっても、同様の効果を得ることができる。
【００２８】
また、上記実施の形態では、独立した発光部１０を撮影レンズ９に近接して設けたが、撮影レンズ９に近接して照明用ライトがついているものでは、この照明用ライトと上記の視線是正用の発光部を兼用としても同様の効果がある。
【００２９】
尚、本発明は上記実施の形態に限定されることなく、その要旨を逸脱しない範囲において、具体的な構成、機能、作用、効果において、他の種々の形態によっても実施することができる。上記実施の形態では撮影機能を有する携帯電話機を例にとって説明したが、撮像機能を有し、自分撮りモード設定可能であれば、デジタルカメラやＰＤＡ、ノート型ＰＣ等、どのような携帯電子機器であっても本発明を適用して同様の効果を得ることができる。
【００３０】
【発明の効果】
以上詳細に説明したように、本発明によれば、自分撮りモードのような場合のように被写体と撮影レンズの距離が余り離れていない近距離撮影時でも、視線がずれていない違和感のない写真を容易に撮ることができる。
【図面の簡単な説明】
【図１】本発明の一実施の形態に係る携帯電子機器（携帯電話機）の構成を示した平面図と背面図である。
【図２】図１に示したリング状の発光部の構成を示した断面図である。
【図３】図１に示した携帯電子機器の制御系を示したブロック図である。
【図４】図１に示した携帯電子機器における撮影時の動作手順を示したフローチャートである。
【符号の説明】
１  本体部
２  蓋部
３  キー入力部
４、１２  マイク
５  メイン表示部（ＬＣＤ）
６  スピーカ
７  透音孔
８  アンテナ
９  撮影レンズ
１０  発光部
１１  サブ表示部（ＬＣＤ）
２１  ＣＰＵ
２２  ＲＯＭ
２３  ＲＡＭ
２４  通信部
２５  音声処理部
２６  撮像部
２７、２８  表示ドライバ
２９  ＬＥＤドライバ
３０  リンガ用スピーカ
３１  画像メモリ
１００  携帯端末
１０１  透光部
１０２  ＬＥＤ
１１１  透明カバー
１１２  ＬＣＤユニット
２６１  ＣＣＤユニット
３１１  モード設定キー
３１２  撮影モード切換キー
３１３  シャッターボタン
【図１】
2004214797.tif 000003
【図２】
2004214797.tif 000004
【図３】
2004214797.tif 000005
【図４】
2004214797.tif 000006